(57)【特許請求の範囲】
【請求項１】
コンテンション・ベースド・チャネル（contention based channel）および前記コンテンション・ベースド・チャネルに続いて送信されるスケジュールド・チャネル（scheduled channel）において、前記スケジュールド・チャネルの先頭部分のＭＣＳを、他の部分のＭＣＳよりも誤り耐性の強いものに設定する機能、または前記コンテンション・ベースド・チャネルの後尾部分の送信電力を、他の部分の送信電力よりも低く設定する機能、の少なくとも一方を有する設定手段と、
前記コンテンション・ベースド・チャネルおよび前記スケジュールド・チャネルを送信する送信手段と、
を具備する無線送信装置。
【請求項２】
前記設定手段は、
送信電力が低く設定される前記コンテンション・ベースド・チャネルの後尾部分のＭＣＳを、他の部分のＭＣＳよりも誤り耐性の強いものに設定する、
請求項１記載の無線送信装置。
【請求項３】
請求項１記載の無線送信装置を具備する通信端末装置。
【請求項４】
請求項１記載の無線送信装置を具備する基地局装置。
【請求項５】
コンテンション・ベースド・チャネルおよび前記コンテンション・ベースド・チャネルに続いて送信されるスケジュールド・チャネルにおいて、前記スケジュールド・チャネルの先頭部分のＭＣＳを、他の部分のＭＣＳよりも誤り耐性の強いものに設定する、または前記コンテンション・ベースド・チャネルの後尾部分の送信電力を、他の部分の送信電力よりも低く設定するステップと、
前記コンテンション・ベースド・チャネルおよび前記スケジュールド・チャネルを送信するステップと、
を具備する無線送信方法。
【発明の詳細な説明】
【技術分野】
【０００１】
本発明は、送信タイミング制御されているチャネルと送信タイミング制御されていないチャネルとを時分割多重して送信する無線送信装置および無線送信方法に関する。
【背景技術】
【０００２】
現在、３ＧＰＰ ＲＡＮ ＬＴＥ（Long Term Evolution）では、上り回線の伝送方式としてＳＣ−ＦＤＭＡ（Single Carrier-Frequency Division Multiple Access）が検討されている。また、ＳＣ−ＦＤＭＡにおいて、ユーザ間でスケジューリングされるチャネルであるスケジュールド・チャネル（scheduled channel）と、ユーザ間でスケジューリングされずユーザ主導で送信されるチャネルであるコンテンション・ベースド・チャネル（contention based channel）の無線フレームへの多重方法も検討されている。
【０００３】
また、上り回線において、ユーザ間の干渉を低減するＴＡＣ（Timing Alignment Control）と呼ばれる技術がある。このＴＡＣとは、移動局が送信したデータを基地局が受信する場合に、複数の移動局間の受信タイミングが所定の時間範囲内に収まるように、各移動局の送信タイミングを調整する送信タイミング制御技術である。特に、ＳＣ−ＦＤＥ（Single Carrier-Frequency Domain Equalization）を目的としたブロック伝送の際には、ＣＰ（Cyclic Prefix）を付加して送信するので、各移動局の受信タイミングの差をＣＰ内に収まるように送信タイミング制御することで、ユーザ間干渉の発生を抑えることが可能となる。
【０００４】
ここで、スケジュールド・チャネルおよびコンテンション・ベースド・チャネルそれぞれの送信タイミング制御について説明する。スケジュールド・チャネルでは、通常、送信タイミング制御が実施されている。一方、コンテンション・ベースド・チャネルでは、送信タイミング制御が実施されない場合がある。その理由は、移動局の初期接続に用いられるＲＡＣＨ（Random Access Channel）等を伝送する場合、それまで上り信号を送信していないので送信タイミング制御に必要なフィードバック処理ができないからである。すなわち、ＲＡＣＨは送信タイミング制御が実施されない状況で送信されざるを得ないのである。
【０００５】
非特許文献１では、コンテンション・ベースド・チャネルとスケジュールド・チャネルの多重方法として、時分割多重する構成あるいは時分割多重と周波数分割多重を併用する構成が提案されている。
【非特許文献１】NTT DoCoMo, Fujitsu, NEC, SHARP, “Physical Channels and Multiplexing in Evolved UTRA Uplink”, R1-050850, 3GPP TSG RAN WG1 Meeting #42, London, UK, 29 August - 2 September, 2005
【発明の開示】
【発明が解決しようとする課題】
【０００６】
しかしながら、図１に示すような上記技術によって送信される信号では、パケットエラーとなる確率が、コンテンション・ベースド・チャネルおよびスケジュールド・チャネルの双方共に増加するという問題がある。以下、その理由を説明する。
【０００７】
移動局がコンテンション・ベースド・チャネルでＲＡＣＨを送信する場合を考える。上述した通り、ＲＡＣＨ送信時は送信タイミング制御が実施されていないので、基地局の受信タイミングには遅延が発生する。この遅延は、基地局と移動局との間の距離に比例して増加する。従って、遅延によってコンテンション・ベースド・チャネルの受信タイミング
が時間的に後方にずれ込んでしまった分（図２に示す伝搬遅延）、コンテンション・ベースド・チャネルのサブフレーム後尾部分とスケジュールド・チャネルのサブフレーム先頭部分とが重なってしまい（図２に示す衝突）、チャネル間干渉が発生する。すなわち、両チャネル間で発生した干渉により、パケットエラーとなる確率が増加し、受信品質が劣化するのである。
【０００８】
本発明の目的は、コンテンション・ベースド・チャネルとスケジュールド・チャネルとが時間多重される通信システム、すなわち送信タイミング制御されていないチャネルと送信タイミング制御されているチャネルとが時間多重される通信システムにおいて、送信タイミング制御されていないチャネルに遅延が発生しても、送信タイミング制御されていないチャネルと送信タイミング制御されているチャネルとのチャネル間干渉による影響を軽減し、受信品質の劣化を防止することができる無線送信装置および無線送信方法を提供することである。
【課題を解決するための手段】
【０００９】
本発明の無線送信装置は、コンテンション・ベースド・チャネルおよび前記コンテンション・ベースド・チャネルに続いて送信されるスケジュールド・チャネルにおいて、前記スケジュールド・チャネルの先頭部分のＭＣＳを、他の部分のＭＣＳよりも誤り耐性の強いものに設定する機能、または前記コンテンション・ベースド・チャネルの後尾部分の送信電力を、他の部分の送信電力よりも低く設定する機能、の少なくとも一方を有する設定手段と、前記コンテンション・ベースド・チャネルおよび前記スケジュールド・チャネルを送信する送信手段と、を具備する構成を採る。
【発明の効果】
【００１０】
本発明によれば、送信タイミング制御されていないチャネルと送信タイミング制御されているチャネルとが時間多重される通信システムにおいて、送信タイミング制御されていないチャネルに遅延が発生しても、送信タイミング制御されていないチャネルと送信タイミング制御されているチャネルとのチャネル間干渉による影響を軽減し、受信品質の劣化を防止することができる。
【発明を実施するための最良の形態】
【００１１】
以下、本発明の実施の形態について、添付図面を参照して詳細に説明する。なお、ここでは、以下の事項を前提条件とする場合を例にとって説明する。
（１）本発明に係る無線送信装置が移動局に搭載され、上り回線の通信を行っている。
（２）ＤＦＴ−ｓ−ＯＦＤＭ（Discrete Fourier Transform-spread-Orthogonal Frequency Division Multiplexing）構成による無線送信装置を示す。
（３）コンテンション・ベースド・チャネル（contention based channel）、スケジュ
ールド・チャネル（scheduled channel）は時分割多重されており、コンテンション・ベースド・チャネルに連続してスケジュールド・チャネルが割当てられている。
（４）コンテンション・ベースド・チャネルはＲＡＣＨを伝送しており、送信タイミング制御されていない。よって、基地局の受信タイミングは伝搬遅延により時間的に後方にずれる。
（５）スケジュールド・チャネルは、送信タイミング制御されている。よって、基地局の受信タイミングは合っている。
（６）コンテンション・ベースド・チャネルとスケジュールド・チャネルとは、それぞれ異なる移動局から送信される。
（７）送信パワコントロールがされており、受信電力はパケット間でほぼ等しい。
（８）受信装置側でＦＤＥ（Frequency Domain Equalization）を適用することを目的として、ＣＰを付加してブロック単位で送信するブロック伝送を適用している。
（９）コンテンション・ベースド・チャネルはユーザ間の衝突を前提としたチャネルなので、もともと誤り耐性の強いＭＣＳパラメータが適用されている。
【００１２】
（実施の形態１）
図３は、本発明の実施の形態１に係る無線送信装置１００の主要な構成を示すブロック図である。
【００１３】
実施の形態１では、コンテンション・ベースド・チャネルに連続して時分割多重で送信されるスケジュールド・チャネルの先頭部分に、より誤り耐性の強いＭＣＳパラメータを適用する。ここで、コンテンション・ベースド・チャネルとは、送信タイミング制御されていないチャネルであり、スケジュールド・チャネルとは送信タイミング制御されているチャネルである。
【００１４】
無線送信装置１００は、符号化部１０１、変調部１０２、ＤＦＴ部１０３、マッピング部１０４、ＩＦＦＴ部１０５、ＣＰ付加部１０６、無線部１０７、および送信アンテナ１０８を備え、各部は以下の動作を行う。
【００１５】
符号化部１０１は、入力される送信データが所定の条件を満たすデータブロックに該当するか否かを、別途入力されるフレーム番号に基づき判断し、該当しない場合には、ＭＣＳパラメータによって指示される符号化率によって送信データの誤り訂正符号化処理を行う。また、入力される送信データが所定の条件を満たすデータブロックに該当する場合は、符号化部１０１は、ＭＣＳパラメータによって指示された符号化率よりも誤り耐性の強い符号化率を用いて、送信データの符号化処理を行う。なお、符号化部１０１の動作の詳細については後述する。
【００１６】
変調部１０２も符号化部１０１と同様に、入力される送信データ（符号化部１０１から出力される送信データ）が所定の条件を満たすデータブロックに該当するか否かを、別途入力されるフレーム番号に基づき判断し、該当しない場合には、ＭＣＳパラメータによって指示される変調方式（ＢＰＳＫ、ＱＰＳＫ、１６ＱＡＭ等）によって変調処理を行う。また、変調部１０２は、送信データが所定の条件を満たすデータブロックに該当する場合は、ＭＣＳパラメータによって指示された変調方式よりも誤り耐性の強い変調方式を適用して、送信データの変調処理を行う。
【００１７】
ＤＦＴ部１０３は、変調部１０２から出力される変調後の送信信号に対し離散フーリエ変換を施し、時間波形から周波数波形の成分に変換する。マッピング部１０４は、周波数成分に変換されたデータを無線フレームの周波数リソース上へ、所定の規則に従ってマッピングする。ＩＦＦＴ部１０５は、周波数軸上にマッピングされたデータを逆高速フーリエ変換処理により時間波形に変換する。ＣＰ付加部１０６は、送信ブロックの末尾を複製
し、これを送信ブロックの先頭に付加することにより送信信号にＣＰを付加する。無線部１０７は、ＣＰが付加された送信信号に対し、Ｄ／Ａ変換、アップコンバート等の所定の無線処理を施し、送信アンテナ１０８を介して無線受信装置に向けて送信する。
【００１８】
次に、符号化部１０１の動作の詳細について、図４に示すフローチャートを用いて説明する。
【００１９】
符号化部１０１は、まず、入力されてきた送信データのフレーム番号を取得し（ＳＴ１０１０）、この送信データが送信タイミング制御（ＴＡＣ）されているチャネル（具体的には、スケジュールド・チャネル）のものであるか否かを判断する（ＳＴ１０２０）。送信タイミング制御されていないチャネルのものである場合は処理が終了する（ＳＴ１０２０：ＮＯ）。
【００２０】
送信データが送信タイミング制御されているチャネル（スケジュールド・チャネル）であると判断された場合、次に、直前のサブフレームが送信タイミング制御されていないチャネルに該当するか否かが判断される（ＳＴ１０３０）。
【００２１】
ＳＴ１０３０において、直前のサブフレームが送信タイミング制御されていないチャネルであると判断された場合、さらに、符号化処理対象のデータが、サブフレームの先頭ブロックに該当するか否かが判断される（ＳＴ１０４０）。
【００２２】
ＳＴ１０４０において先頭ブロックであると判断された場合、符号化部１０１は、送信信号の被干渉部、すなわちコンテンション・ベースド・チャネルとスケジュールド・チャネルとがチャネル間干渉を起こす可能性のある信号部分に対し、別途入力されたＭＣＳパラメータによって指示された符号化率よりも誤り耐性の強い符号化率を用いて符号化処理を行う。すなわち被干渉部のＭＣＳパラメータは他の部分よりもロバストなＭＣＳパラメータが選択される（ＳＴ１０５０）。
【００２３】
一方、ＳＴ１０３０において、直前のサブフレームが送信タイミング制御されていないチャネルではないと判断された場合、またはＳＴ１０４０において符号化対象のデータがサブフレームの先頭ブロックでないと判断された場合、符号化部１０１は、入力されたＭＣＳパラメータに従った符号化率によって当該データの誤り訂正符号化処理を行う（ＳＴ１０６０）。
【００２４】
このように符号化部１０１は、入力されるフレーム番号に基づき、符号化対象のデータが所定の条件を満たすか否か判断する。具体的には、符号化部１０１は、送信データが送信タイミング制御されているチャネル（スケジュールド・チャネル）のデータであるか否か、送信するサブフレームがコンテンション・ベースド・チャネルの直後に送信されるサブフレームに該当するか否か、さらに符号化対象のデータがサブフレームの先頭の送信ブロックであるか否かを判断する。そして、この条件を満たす場合に、ロバストな符号化を行う。
【００２５】
なお、変調部１０２も、上記フローのＳＴ１０５０またはＳＴ１０６０において符号化処理の代わりに変調処理を行うだけであって、基本的動作は符号化部１０１と同様である。
【００２６】
符号化部１０１および変調部１０２の上記動作によって生成された送信系列の一例（送信信号のフレームフォーマット）を図５に示す。この図に示すように、コンテンション・ベースド・チャネルに続くスケジュールド・チャネルの先頭ブロックのＭＣＳが、他の部分のＭＣＳ（図の例では、１６ＱＡＭ、Ｒ＝１／３）よりも誤り耐性の強いものに設定さ
れている（図の例では、ＱＰＳＫ、Ｒ＝１／３）。
【００２７】
次いで、上記無線送信装置１００に対応する、本実施の形態に係る無線受信装置１５０について説明する。図６は、無線受信装置１５０の主要な構成を示すブロック図である。
【００２８】
無線部１５２は、受信アンテナ１５１を介して受信された信号に対し、ダウンコンバート、Ａ／Ｄ変換等の所定の無線処理を施す。ＣＰ削除部１５３は、受信データからＣＰに該当する部分を削除する。ＦＦＴ部１５４は、受信信号を高速フーリエ変換により周波数成分データに変換する。チャネル推定部１５５は、受信信号の伝搬路変動を推定し、チャネル推定値を算出する。ＦＤＥ部１５６は、チャネル推定部１５５で推定されたチャネル推定値に基づいて、ＦＦＴ部１５４から出力される信号に対し周波数領域における等化処理を行う。デマッピング部１５７は、周波数等化された周波数成分データを無線フレームの周波数リソース上から所定の規則に従ってデマッピングする。ＩＤＦＴ部１５８は、周波数領域のデータを逆離散フーリエ変換により時間波形のデータに変換する。
【００２９】
復調部１５９および復号化部１６０は、図４に示したフローチャートと同様の手順により、処理対象のデータが、所定の条件を満たすことにより無線送信装置１００においてロバストなＭＣＳパラメータが適用されたデータであるか否かを判断し、この判断結果に基づき、無線送信装置１００で使用されたＭＣＳパラメータと同一のＭＣＳパラメータで、当該データの復調処理および復号化処理を行う。
【００３０】
以上説明したように、本実施の形態によれば、送信タイミング制御されていないチャネルが遅延して送信タイミング制御されているチャネルと重なり合って互いに干渉を引き起こす環境下となっても、より具体的には、コンテンション・ベースド・チャネルがＣＰの幅以上に遅延してスケジュールド・チャネルとチャネル間干渉を起こす状況になったとしても、スケジュールド・チャネルが干渉を受ける領域においては、送信信号に誤りにくいＭＣＳパラメータが設定されているので、パケットエラーの発生を低減することができる。
【００３１】
なお、本実施の形態では、より誤り耐性の強いＭＣＳパラメータを適用する際に、その適用範囲として送信ブロック単位で考える場合を例にとって説明を行ったが、送信ブロックの代わりに送信シンボル単位としても良い。
【００３２】
また、本実施の形態では、チャネル間干渉の発生しそうな信号に対し、符号化部１０１において、より誤り耐性の強い符号化率が選択され、かつ、変調部１０２において、より誤り耐性の強い変調方式が選択される場合を例にとって説明したが、符号化率および変調方式（すなわちＭＣＳパラメータ）を一括して考え、総合的に誤り耐性が強くなるような符号化率および変調方式を選択するようにしても良い。例えば、符号化率および変調方式の一方のみを、より誤り耐性の強いものに設定するような構成としても良い。
【００３３】
また、本実施の形態では、受信側のチャネル推定部１５５が、高速フーリエ変換前の受信パイロット信号からチャネル推定を行う構成を例にとって示したが、高速フーリエ変換後の受信パイロット信号の周波数成分からチャネル推定を行うような構成としても良い。
【００３４】
（実施の形態２）
図７は、本発明の実施の形態２に係る無線送信装置２００の主要な構成を示すブロック図である。この無線送信装置２００は、実施の形態１に示した無線送信装置１００（図３参照）と同様の基本的構成を有しており、同一の構成要素には同一の符号を付し、その説明を省略する。
【００３５】
無線送信装置２００は、パワ制御部２０３をさらに備え、送信タイミング制御されていないチャネルの後尾部分、具体的にはコンテンション・ベースド・チャネルの後尾部分に対し、送信パワを下げる制御を行う。また、符号化部２０１および変調部２０２は、当該後尾部分に対して、誤り耐性の強いＭＣＳパラメータを適用する処理をさらに施す。
【００３６】
図８は、符号化部２０１、変調部２０２、およびパワ制御部２０３の動作手順を、一括して説明したフローチャートである。
【００３７】
符号化部２０１および変調部２０２は、フレーム番号を取得し（ＳＴ２０１０）、このフレーム番号に基づき、処理対象のデータが以下の所定の条件を満たしているか否か判断する。すなわち、当該データが送信タイミング制御されていないチャネル（コンテンション・ベースド・チャネル）のデータであるか否かを判断する（ＳＴ２０２０）。送信タイミング制御されていないチャネルのものではないと判断された場合は、処理は終了する（ＳＴ２０２０：ＮＯ）。送信データが送信タイミング制御されていないチャネル（コンテンション・ベースド・チャネル）のものであると判断された場合、直後のサブフレームが送信タイミング制御されているチャネル（スケジュールド・チャネル）のサブフレームであるか否か（ＳＴ２０３０）、さらに当該データがサブフレームの後尾の送信ブロックであるか否か（ＳＴ２０４０）を判断する。
【００３８】
そして、処理対象のデータが上記条件のいずれかを満たさない場合（ＳＴ２０３０：ＮＯ、ＳＴ２０４０：ＮＯ）、符号化部２０１および変調部２０２はそれぞれ、別途入力されたＭＣＳパラメータによって指示された符号化率および変調方式で符号化処理および変調処理を行い、パワ制御部２０３は通常の送信パワとなるように送信パワ制御を行う（ＳＴ２０６０）。
【００３９】
一方、処理対象のデータが上記条件の全てを満たす場合（ＳＴ２０２０：ＹＥＳ、ＳＴ２０３０：ＹＥＳ、ＳＴ２０４０：ＹＥＳ）、符号化部２０１および変調部２０２は、当該データに対し、指定されたＭＣＳよりも誤り耐性の強いＭＣＳパラメータを適用して符号化処理および変調処理を行い、かつ、パワ制御部２０３は、当該データの送信パワが通常の送信パワよりも低い値となるように送信パワ制御を行う（ＳＴ２０５０）。
【００４０】
符号化部２０１、変調部２０２、およびパワ制御部２０３の上記動作によって生成された送信系列の一例（送信信号のフレームフォーマット）を図９に示す。この図に示すように、スケジュールド・チャネルの直前のコンテンション・ベースド・チャネルの後尾ブロックのＭＣＳが、他の部分のＭＣＳ（図の例では、ＱＰＳＫ、Ｒ＝１／３）よりも誤り耐性の強いものに設定されており（図の例では、ＱＰＳＫ、Ｒ＝１／８）、送信パワも他の部分のパワよりも低い値に設定されている。
【００４１】
なお、無線送信装置２００に対応する、本実施の形態に係る無線受信装置の基本的構成は、実施の形態１に示した無線受信装置１５０（図６参照）と同様である。すなわち、復調部１５９および復号化部１６０が、図８に示したフローチャートと同様の手順により、処理対象のデータが、所定の条件を満たすことにより無線送信装置２００においてロバストなＭＣＳパラメータが適用されたデータであるか否かを判断し、この判断結果に基づき、無線送信装置２００で使用されたＭＣＳパラメータと同一のＭＣＳパラメータで、当該データの復調処理および復号化処理を行う。
【００４２】
このように、本実施の形態によれば、送信タイミング制御されていないコンテンション・ベースド・チャネルが遅延して受信されたとしても、当該チャネルの後尾部の送信パワは低く設定され、かつロバストなＭＣＳが適用されているため、スケジュールド・チャネルへの干渉量は小さい。よって、スケジュールド・チャネルおよびコンテンション・ベー
スド・チャネル両方のパケットエラー発生を低減することができ、受信品質を向上させることができる。
【００４３】
なお、本実施の形態において、パワ制御部２０３の位置は、必ずしも変調部１０２の直後でなくても良い。
【００４４】
以上、本発明の各実施の形態について説明した。
【００４５】
本発明に係る無線送信装置および無線送信方法は、上記各実施の形態に限定されず、種々変更して実施することが可能である。
【００４６】
本発明に係る無線送信装置は、移動体通信システムにおける通信端末装置および基地局装置に搭載することが可能であり、これにより上記と同様の作用効果を有する通信端末装置、基地局装置、および移動体通信システムを提供することができる。
【００４７】
なお、上記各実施の形態では、コンテンション・ベースド・チャネルとスケジュールド・チャネルとを例にとって説明を行ったが、必ずしもこれらのチャネルに限定されるものではなく、受信タイミングが伝搬遅延により時間的に後方にずれ込むチャネルと送信タイミング制御により受信タイミングが常に調整されているチャネルとに適用することが可能である。
【００４８】
また、ここでは、コンテンション・ベースド・チャネルの後尾ブロックとスケジュールド・チャネルの先頭ブロックとを例にとって、互いに干渉し合うリソースと説明したが、必ずしもこの前提条件に限定されない。例えば、送信タイミング制御されていないコンテンション・ベースド・チャネルの後尾ブロックと、送信タイミング制御されているコンテンション・ベースド・チャネルの先頭ブロックとに対しても本発明を適用することが可能である。
【００４９】
また、ここでは、ＤＦＴ、ＩＦＦＴを用いる場合を例にとったが、これに限定されず、例えばＩＦＦＴはＩＤＦＴでも良い。
【００５０】
また、ここでは、ＤＦＴ−ｓ−ＯＦＤＭ構成を例にとって説明したが、これに限定されず、分散型の周波数配置の場合、ＩＦＤＭＡ（Interleaved Frequency Division Multiple Access）を使用する構成でもよい。さらに、一般的なシングルキャリア伝送の構成でもよい。
【００５１】
また、上記各実施の形態では、フレーム番号と各チャネルとが一意的に割り当てられていることを前提として、チャネルを区別する判断であったり、両チャネルが接するか否かの判断を、この予め決められているフレームフォーマットに基づいて判断する場合を例にとって説明したが、これらの情報が基地局から指示されるような構成としても良い。
【００５２】
また、上記各実施の形態におけるコンテンション・ベースド・チャネルはＲＡＣＨに用いられ、スケジュールド・チャネルはシェアード・チャネルを介して伝送される。なお、シェアード・チャネルはPＰＵＳＣＨ（Physical Uplink Shared channel）と呼ばれる場合がある。
【００５３】
また、ここでは、本発明をハードウェアで構成する場合を例にとって説明したが、本発明をソフトウェアで実現することも可能である。例えば、本発明に係る無線送信方法のアルゴリズムをプログラミング言語によって記述し、このプログラムをメモリに記憶しておいて情報処理手段によって実行させることにより、本発明に係る無線送信装置と同様の機
能を実現することができる。
【００５４】
また、上記各実施の形態の説明に用いた各機能ブロックは、典型的には集積回路であるＬＳＩとして実現される。これらは個別に１チップ化されても良いし、一部または全てを含むように１チップ化されても良い。
【００５５】
また、ここではＬＳＩとしたが、集積度の違いによって、ＩＣ、システムＬＳＩ、スーパーＬＳＩ、ウルトラＬＳＩ等と呼称されることもある。
【００５６】
また、集積回路化の手法はＬＳＩに限るものではなく、専用回路または汎用プロセッサで実現しても良い。ＬＳＩ製造後に、プログラム化することが可能なＦＰＧＡ（Field Programmable Gate Array）や、ＬＳＩ内部の回路セルの接続もしくは設定を再構成可能なリコンフィギュラブル・プロセッサを利用しても良い。
【００５７】
さらに、半導体技術の進歩または派生する別技術により、ＬＳＩに置き換わる集積回路化の技術が登場すれば、当然、その技術を用いて機能ブロックの集積化を行っても良い。バイオ技術の適応等が可能性としてあり得る。
【００５８】
２００６年１月１８日出願の特願２００６−００９８４８の日本出願に含まれる明細書、図面および要約書の開示内容は、すべて本願に援用される。
【産業上の利用可能性】
【００５９】
本発明に係る無線送信装置および無線送信方法は、移動体通信システムにおける通信端末装置、基地局装置等の用途に適用することができる。
【図面の簡単な説明】
【００６０】
【図１】発明が解決しようとする課題を説明するための図
【図２】コンテンション・ベースド・チャネルとスケジュールド・チャネルのチャネル間干渉を説明するための図
【図３】実施の形態１に係る無線送信装置の主要な構成を示すブロック図
【図４】実施の形態１に係る符号化部の動作の詳細について示すフローチャート
【図５】実施の形態１によって生成された送信系列の一例を示す図
【図６】実施の形態１に係る無線受信装置の主要な構成を示すブロック図
【図７】実施の形態２に係る無線送信装置の主要な構成を示すブロック図
【図８】実施の形態２に係る符号化部、変調部、およびパワ制御部の動作手順を一括して説明したフローチャート
【図９】実施の形態２によって生成された送信系列の一例を示す図
【図１】
0004410282.tif 000002
【図２】
0004410282.tif 000003
【図３】
0004410282.tif 000004
【図４】
0004410282.tif 000005
【図５】
0004410282.tif 000006
【図６】
0004410282.tif 000007
【図７】
0004410282.tif 000008
【図８】
0004410282.tif 000009
【図９】
0004410282.tif 000010